(57)【要約】    【課題】  同一または異なるサイズのロール状に巻きつけられた記録媒体を、同時に複数本セットすることができる記録装置を提供することを目的とする。    【解決手段】  ロール状に巻きつけられた記録媒体１１、２１を収納した給紙部１、２を上下２段に配置し、下段給紙部１の天井１３に設けられ、常時は閉塞される扉８１と、この扉８１に対応する前記上段給紙部２の底２３に設けられ、装着時に前記扉８１を押し開くように嵌合する挿入案内路８２と、により前記両給紙部１、２を連通する連通部８を形成し、前記両給紙部１、２に収納された記録媒体１１、２１を支持する支持軸１２、２２の軸心Ｐ１、Ｐ２を、同一線上に配置してなり、前記上段給紙部２に収納された記録媒体２１を給紙する際には、前記連通部８を介して下段給紙部１を経由して前記搬送手段３に導くとともに、下段給紙部１の支持軸１２が、前記搬送手段３によって形成される搬送路から後退するように構成する。【選択図】図１
2005132536.tif 000002
【特許請求の範囲】
【請求項１】
ロール状に巻きつけられた記録媒体を収納した給紙部と、記録情報に応じて前記記録媒体に画像を形成する記録手段と、前記記録媒体を記録手段および前記記録媒体を所定寸法に切断する切断手段を経由して排紙トレイに搬送する搬送手段とを備えた記録装置において、
前記給紙部を上下２段に配置し、下段給紙部の天井に設けられ、常時は閉塞される扉と、この扉に対応する前記上段給紙部の底に設けられ、装着時に前記扉を押し開くように嵌合する挿入案内路と、により前記両給紙部を連通する連通部を形成し、前記両給紙部に収納された記録媒体を支持する支持軸の軸心を、同一線上に配置してなり、前記上段給紙部に収納された記録媒体を給紙する際には、前記連通部を介して下段給紙部を経由して前記搬送手段に導くとともに、下段給紙部の支持軸が、前記搬送手段によって形成される搬送路から後退するように構成したことを特徴とする記録装置。
【請求項２】
ロール状に巻きつけられた記録媒体を収納した給紙部と、記録情報に応じて前記記録媒体に画像を形成する記録手段と、前記記録媒体を記録手段および前記記録媒体を所定寸法に切断する切断手段を経由して排紙トレイに搬送する搬送手段とを備えた記録装置において、
前記給紙部を上下２段に配置し、下段給紙部の天井と上段給紙部の底とが連通する連通部を設け、前記両給紙部に収納された記録媒体を支持する支持軸の軸心を、同一線上に設けてなり、前記上段給紙部に収納された記録媒体を給紙する際には、前記連通部を介して下段給紙部を経由して前記搬送手段に導くとともに、下段給紙部の支持軸が、前記搬送手段によって形成される搬送路から後退するように構成したことを特徴とする記録装置。
【請求項３】
前記上段給紙部と下段給紙部との前記連結部にパッキングを介在して、前記連結部を気密に形成したことを特徴とする請求項１または請求項２いずれかに記載の記録装置。
【請求項４】
前記連結部の挿入案内路を、スリット状に形成して前記上段給紙部に収納された記録媒体を、下段給紙部に位置する搬送手段の搬送路に導くようにしたことを特徴とする請求項１に記載の記録装置。
【請求項５】
前記下段給紙部の天井に設けられる扉を、観音開き形式とし、この扉により前記上段給紙部からの記録媒体を前記搬送手段に案内するように形成したことを特徴とする請求項１に記載の記録装置。
【発明の詳細な説明】
【技術分野】
【０００１】
本発明は、例えばファクシミリー、複写機、プリンタなどに用いられ、ロール状に巻きつけられた記録媒体に、記録情報に応じて画像を形成する記録装置に関する。
【背景技術】
【０００２】
近年この種記録装置として、同一または異なるサイズのロール状に巻きつけられた記録媒体を、選択的に引き出し、所望の記録情報に応じて画像を形成する記録装置が開発され、実用化されつつある。
【０００３】
例えば従来では、同一または異なるサイズのロール状に巻きつけられた記録媒体を上下２段に配置し、何れか一方の記録媒体を搬送手段により、前記記録媒体の上方に配置された記録手段に搬送し、この記録手段により記録情報に応じて画像を形成し、更に上方に配置されたカッターで所定サイズに切断後、上部の排紙トレイに排紙するようにしたものが提案されている(例えば、特許文献1参照）。
【特許文献１】特開平０６−１６２９４号公報
【発明の開示】
【発明が解決しようとする課題】
【０００４】
、
しかし、前述の特許文献１記載の構成では、例えば、下段に配置された記録媒体に所望の画像を形成後、次に上段に配置された記録媒体に所望の画像を形成する場合、一旦下段側の記録媒体を所定位置まで退避させ、次いで上段側の記録媒体を搬送手段の搬送路に案内するのであるが、この搬送手段は、記録媒体を上方に案内する必要があり、また、再度下段側の記録媒体に画像を形成する場合も同様であり、これら記録媒体を上方に案内する搬送路を備えた搬送手段は、その構成が極めて煩雑となり、この種装置が大型化し、更には高騰する傾向にある、などといった課題がある。
【０００５】
また、記録手段としてサーマルヘッドを用いた感熱方式のものにあっては、感熱紙を記録媒体として使用しており、このような場合、その感熱紙の保管は、湿気の遮断と低温に保つ必要があり、このような観点からも、ロール状に巻きつけられた記録媒体を２本セットし得る、所謂ダブルロールタイプの装置の実用化が望まれている。
【０００６】
本発明は、上述した問題を解決するためになされたものであり、従来の記録媒体が１本の場合のこの種装置の搬送手段と略同様の構成で、同一または異なるサイズのロール状に巻きつけられた記録媒体を、同時に複数本セットすることができる記録装置を提供することを目的とする。
【課題を解決するための手段】
【０００７】
かかる目的を達成するため、請求項１記載の発明では、ロール状に巻きつけられた記録媒体を収納した給紙部と、記録情報に応じて前記記録媒体に画像を形成する記録手段と、前記記録媒体を記録手段および前記記録媒体を所定寸法に切断する切断手段を経由して排紙トレイに搬送する搬送手段とを備えた記録装置において、前記給紙部を上下２段に配置し、下段給紙部の天井に設けられ、常時は閉塞される扉と、この扉に対応する前記上段給紙部の底に設けられ、装着時に前記扉を押し開くように嵌合する挿入案内路と、により前記両給紙部を連通する連通部を形成し、前記両給紙部に収納された記録媒体を支持する支持軸の軸心を、同一線上に配置してなり、前記上段給紙部に収納された記録媒体を給紙する際には、前記連通部を介して下段給紙部を経由して前記搬送手段に導くとともに、下段給紙部の支持軸が、前記搬送手段によって形成される搬送路から後退するように構成する。
【０００８】
請求項２記載の発明では、ロール状に巻きつけられた記録媒体を収納した給紙部と、記録情報に応じて前記記録媒体に画像を形成する記録手段と、前記記録媒体を記録手段および前記記録媒体を所定寸法に切断する切断手段を経由して排紙トレイに搬送する搬送手段とを備えた記録装置において、前記給紙部を上下２段に配置し、下段給紙部の天井と上段給紙部の底とが連通する連通部を設け、前記両給紙部に収納された記録媒体を支持する支持軸の軸心を、同一線上に設けてなり、前記上段給紙部に収納された記録媒体を給紙する際には、前記連通部を介して下段給紙部を経由して前記搬送手段に導くとともに、下段給紙部の支持軸が、前記搬送手段によって形成される搬送路から後退するように構成する。
【０００９】
請求項３記載の発明では、前記上段給紙部と下段給紙部との前記連結部にパッキングを介在して、前記連結部を気密に形成する。
【００１０】
請求項４記載の発明では、前記連結部の挿入案内路を、スリット状に形成して前記上段給紙部に収納された記録媒体を、下段給紙部に位置する搬送手段の搬送路に導くようにする。
【００１１】
請求項５記載の発明では、前記下段給紙部の天井に設けられる扉を、観音開き形式とし、この扉により前記上段給紙部からの記録媒体を前記搬送手段に案内するように形成する。
【発明の効果】
【００１２】
請求項１記載の発明の構成によれば、前記両給紙部に収納された記録媒体を支持する支持軸の軸心を、同一線上に配置しているので、下段給紙部の記録媒体の搬送路を形成する搬送手段は、従来と同様の構成であり、新たに増設した上段給紙部の記録媒体の搬送路として、下段給紙部の天井に常時は閉塞される扉を、上段給紙部の底に前記扉を押し開くように嵌合する挿入案内路からなる連通部を形成し、下段給紙部に導くことにより、前記搬送手段を共有している。しかも上方から下方に記録媒体を搬送するようにしているので、上段給紙部の記録媒体を給紙する際には下段給紙部の支持軸が、前記搬送手段によって形成される搬送路から後退するように構成すればよく、殊更前記搬送手段を特別なものとする必要がなく、極めて経済的に、同一または異なるサイズのロール状に巻きつけられた記録媒体を、同時に複数本セットすることができる。また、下段給紙部のみを使用する場合であっても、前記扉は常時は閉塞されており、外気の進入などの危惧はなく、たとえ記録媒体として感熱紙を用いた場合であっても、その品質が劣化する恐れがない、などといった効果を奏する。
【００１３】
請求項２記載の発明の構成によれば、前記両給紙部に収納された記録媒体を支持する支持軸の軸心を、同一線上に配置しているので、下段給紙部の記録媒体の搬送路を形成する搬送手段は、従来と同様の構成であり、新たに増設した上段給紙部の記録媒体の搬送路として、下段給紙部の天井と、上段給紙部の底とが連通する連通部を形成し、下段給紙部に導くことにより、前記搬送手段を共有している。しかも上方から下方に記録媒体を搬送するようにしているので、上段給紙部の記録媒体を給紙する際には、下段給紙部の支持軸が、前記搬送手段によって形成される搬送路から後退するように構成すればよく、殊更前記搬送手段を特別なものとする必要がなく、極めて経済的に、同一または異なるサイズのロール状に巻きつけられた記録媒体を、同時に複数本セットすることができる、などといった効果を奏する。
【００１４】
請求項３記載の発明の構成によれば、前記上段給紙部と下段給紙部との前記連結部にパッキングを介在して、前記連結部を気密に形成しているので、連結部から外気の進入などの危惧はなく、たとえ記録媒体として感熱紙を用いた場合であっても、その品質が劣化する恐れがないので、好ましい。
【００１５】
請求項４記載の発明の構成によれば、前記連結部の挿入案内路を、スリット状に形成して前記上段給紙部に収納された記録媒体を、下段給紙部に位置する搬送手段の搬送路に導くようにしているので、上段給紙部の記録媒体をより確実に搬送路に導くことができ、給紙時のトラブルを皆無とすることができ、好ましい。
【００１６】
請求項５記載の発明の構成によれば、前記下段給紙部の天井に設けられる扉を、観音開き形式とするとともに、この扉により上段給紙部からの記録媒体を前記搬送手段に案内するようにしているので、開閉過程における占有面積を小さくでき、給紙部の小型が図れ、しかも、給紙が確実となり、搬送時におけるトラブルが減少でき、都合がよい。
【発明を実施するための最良の形態】
【００１７】
ロール状に巻きつけられた記録媒体を収納した給紙部と、記録情報に応じて前記記録媒体に画像を形成する記録手段と、前記記録媒体を記録手段および前記記録媒体を所定寸法に切断する切断手段を経由して排紙トレイに搬送する搬送手段とを備えた記録装置において、前記給紙部を上下２段に配置し、下段給紙部の天井に設けられ、常時は閉塞される観音開形式の扉と、この扉に対応する前記上段給紙部の底に設けられ、装着時に前記扉を押し開くように嵌合するスリット状で、前記上段給紙部に収納された記録媒体を、下段給紙部に位置する搬送手段の搬送路に導くように形成した挿入案内路と、により前記両給紙部を連通する連通部を形成し、前記両給紙部に収納された記録媒体を支持する支持軸の軸心を、同一線上に配置してなり、前記上段給紙部に収納された記録媒体を給紙する際には、前記連通部を介して下段給紙部を経由して前記搬送手段に導くとともに、下段給紙部の支持軸が、前記搬送手段によって形成される搬送路から後退するように構成する。
【実施例】
【００１８】
以下、本発明の一実施例を図１乃至図３に基づき説明する。図１は、本発明の一実施例による記録装置の概略構成を示す一部断面図、図２は、図１の連通部部分を拡大して示す断面図、図３は、図１の連通部を形成する扉部分を拡大して示す断面図である。
【００１９】
１は、下段給紙部で、支持軸１２により支持されたロール状に巻きつけられた記録媒体１１を収納している。２は、前記下段給紙部１の上部に配置さられた上段給紙部で、前記下段給紙部１と同様、支持軸２２により支持されたロール状に巻きつけられた記録媒体２１を収納している。これら記録媒体１１、２１は、図示しない制御部からの指令により、何れか一方、例えば下段給紙部１に収納された記録媒体１１が、給紙ローラ３１により給紙され、例えばサーマルヘッドなどからなる記録手段４において、所望の記録情報に応じた画像が形成され、その後蛍光管などからなる定着部５で定着され、所定寸法にカッターなどからなる切断手段６により切断され、図示しない排紙トレイに排紙される。
【００２０】
３は、前記記録媒体１１または２１を選択的に前述したように給紙・搬送する搬送手段で、前記給紙ローラ３１の他、上段給紙部２に収納された記録媒体２１を給紙する給紙ローラ３２、キャプスタンローラ３３、ニップローラ３４、プラテンローラ３５および補助ローラ３６、更にはガイド３７、３８などによって形成されている。なお、図中７は、液晶ディスプレイやテンキーなどを備えた操作部である。
【００２１】
しかして、本発明にしたがい、上下２段に配置された前記下段給紙部１と上段給紙部２とは、下段給紙部１の天井１３に設けられ、常時は図示しないバネなどにより閉塞される扉８１と、この扉８１に対応する前記上段給紙部２の底２３に設けられ、装着時に前記扉８１を押し開くように嵌合する挿入案内路８２と、により前記両給紙部１−２を連通する連通部８が形成されている。
【００２２】
また、前記両給紙部１、２に収納された記録媒体１１、２１を支持する支持軸１２と２２の軸心Ｐ１とＰ２とを、同一線上Ａに配置する。更に、前記上段給紙部２に収納された記録媒体２１を給紙する際には、前記連通部８を介して下段給紙部１を経由して前記搬送手段３に導くとともに、下段給紙部１の支持軸１２が、図１に二点差線で示すように矢印方向に図示しない駆動源により駆動され、すなわち軸心Ｐ１がＰ１´に移動して前記上段給紙部２の記録媒体２１の邪魔にならないように前記搬送手段３によって形成される搬送路から後退するように構成されている。
【００２３】
なお、前記扉８１としては、図２および図３に示すように左右に開く観音開き形式とし、この扉８１により上段給紙部２からの記録媒体２１を前記搬送手段３に案内するようにすれば、開閉過程における占有面積を小さくでき、下段給紙部１２の小型が図れ、しかも、給紙が確実となり、搬送時におけるトラブルが減少でき、都合がよい。また、前記連結部８にパッキング８３を介在して、前記連結部８を気密に形成すると、連結部８から両給紙部１、２に外気の進入などの危惧はなく、例え記録媒体１１、２１として感熱紙を用いた場合であっても、その品質が劣化する恐れがないので、好ましい。図中、８４は、パッキング８３を挿入するため、下段給紙部１の天井１３に形成されたパッキング溝である。
【００２４】
次にこのように構成された記録装置において、例えば、下段に配置された下段給紙部１の記録媒体１１に所望の画像を形成して所定サイズに切断後、次に上段に配置された上段給紙部２の記録媒体２１に所望の画像を形成する場合、一旦下段給紙部１の記録媒体１１を所定位置、略給紙ローラ３１付近まで退避させ、次いで上段給紙部２の記録媒体２１を搬送手段８の搬送路に案内するのであるが、記録媒体２１は上方から真下に位置する搬送手段８搬送路に案内するため、また、再度下段給紙部１の記録媒体１１に画像を形成する場合も同様、上方から下方に給紙すればよいので、このような動作を行うための搬送手段３としては、特別複雑な誘引案内手段などを必要としない。
【００２５】
以上の構成による実施例では、前記両給紙部１，２に収納された記録媒体１１，２１を支持する支持軸１２，２２の軸心Ｐ１、Ｐ２を、同一線Ａ上に配置しているので、下段給紙部１の記録媒体１１の搬送路を形成する搬送手段３は、従来と同様の構成であり、新たに増設した上段給紙部２の記録媒体２１の搬送手段として、下段給紙部１の天井１３に常時は閉塞される扉８１と、上段給紙部２の底２３に前記扉８１を押し開くように嵌合する挿入案内路８２とからなる連通部８を形成し、上段給紙部２の記録媒体２１を下段給紙部２に導くことにより、前記搬送手段３を共有している。しかも上方から下方に記録媒体１１、２１を搬送するようにしているので、上段給紙部２の記録媒体２１を給紙する際には下段給紙部１の支持軸１２が、前記搬送手段３によって形成される搬送路から単に後退するように構成すればよく、殊更前記搬送手段３を特別なものとする必要がなく、極めて経済的に、同一または異なるサイズのロール状に巻きつけられた記録媒体１１、２１を、同時に複数本セットすることができる。また、下段給紙部１のみを使用する場合であっても、前記扉８１は常時は閉塞されており、外気の進入などの危惧はなく、たとえ記録媒体１１として感熱紙を用いた場合であっても、その品質が劣化する恐れがない、などといった効果を奏する。
【００２６】
次に、図４に示す本発明の他の実施例について説明する。この実施例では、連結部の挿入案内路を、スリット状に形成したものである。図４は、本発明の他の実施例による記録装置の連通部部分の概略構成を拡大して示す断面図である。なお、図４において図1乃至図３と同じ符号を付した部分は略同一のものを示す。以下相違点を中心に説明する。
【００２７】
この実施例では、連結部８の扉８１を片開きとするとともに、連結部８の挿入案内路８２を、スリット状で、その先端が下段給紙部１の記録媒体１１に近接するように配設し、上段給紙部２に収納された記録媒体２１を、下段給紙部１に位置する搬送手段３の搬送路に導くように形成したものである。なお、図示しないが、前記スリット状の挿入案内路８２の入り口側、すなわち上部に、その上端が開口したガイドを設けても良いのは、勿論である。
【００２８】
以上の構成による実施例では、前記連結部８の挿入案内路８２を、スリット状に形成して前記上段給紙部２に収納された記録媒体２１を、下段給紙部１に位置する搬送手段３の搬送路に導くようにしたので、上段給紙部２の記録媒体２１をより確実に搬送路に導くことができ、給紙時のトラブルを皆無とすることができ、好ましい。
【００２９】
なお、上述した実施例は、本発明の好適な実施例であるが、本発明はこれに限定されるものではなく、本発明の要旨を逸脱しない範囲において、種々変形実施可能である。
【図面の簡単な説明】
【００３０】
【図１】本発明の一実施例による記録装置の概略構成を示す一部断面図である。
【図２】図１の連通部部分を拡大して示す断面図である。
【図３】図１の連通部を形成する扉部分を拡大して示す断面図である。
【図４】本発明の他の実施例による記録装置の連通部部分の概略構成を拡大して示す断面図である。
【符号の説明】
【００３１】
１    下段給紙部
１１  記録媒体
１２  支持軸
１３  天井
２    上段給紙部
２１  記録媒体
２２  支持軸
２３  底
３    搬送手段
４    記録手段
６    切断手段
８    連結部
８１  扉
８２  挿入案内路
８３  パッキング
Ｐ１（Ｐ１´）、Ｐ２  軸心
【図１】
2005132536.tif 000003
【図２】
2005132536.tif 000004
【図３】
2005132536.tif 000005
【図４】
2005132536.tif 000006